(57)【要約】【課題】水を熱源とする空調装置の効率低下を防ぐことができる水熱源空調システムを提供する。【解決手段】水熱源空調システム１は、チラー３と、水槽４と、第１ポンプ５と、第２ポンプ７と、制御部１５とを備える。チラー３は、水を加熱または冷却し、水槽４は、この水を貯留する。第１ポンプ５は、チラー３によって加熱または冷却された水を水槽４に供給する。第２ポンプ７は、水槽４内に基づく熱エネルギーを空調装置２ａ，２ｂに供給する。制御部１５は、水槽４の水の温度が所定範囲内となるように、第１ポンプ５、第２ポンプ７及びチラー３を含む機器群９を制御する。また、制御部１５は、水槽４の水の温度が所定範囲外となった場合、機器群９に関する異常が生じていると判断し、その判断結果に基づいて機器群９に対し異常対応制御を行う。【選択図】図１
2011033222.tif 000002
【特許請求の範囲】
【請求項１】
水を熱源とする空調装置（２ａ，２ｂ）の効率を向上させる水熱源空調システム（１）であって、
水を加熱または冷却する加熱冷却部（３）と、
前記加熱冷却部（３）によって加熱または冷却された水を貯留する貯水部（４）と、
前記加熱冷却部（３）によって加熱または冷却された水を前記貯水部（４）に供給可能な第１ポンプ（５）と、
前記貯水部（４）内の水に基づく熱エネルギーを前記空調装置（２ａ，２ｂ）に供給可能な第２ポンプ（７）と、
前記貯水部（４）内の水の温度が所定範囲内となるように、前記第１ポンプ（５）、前記第２ポンプ（７）及び前記加熱冷却部（３）を含む機器群（９）を制御する制御部（１５）と、
を備え、
前記制御部（１５）は、前記貯水部（４）の水の温度が前記所定範囲外となった場合、前記機器群（９）に関する異常が生じていると判断し、その判断結果に基づいて前記機器群（９）に対し異常対応制御を行う、
水熱源空調システム（１）。
【請求項２】
前記異常対応制御は、前記機器群（９）に含まれる前記第１ポンプ（５）、前記第２ポンプ（７）及び前記加熱冷却部（３）の少なくとも１つに対し、前記貯水部（４）内の水の温度が前記所定範囲内である場合の運転とは異なる運転を行わせる制御である、
請求項１に記載の水熱源空調システム（１）。
【請求項３】
前記第２ポンプ（７）は複数台設けられており、
前記異常対応制御には、
前記第２ポンプ（７）が複数台運転している場合、前記第２ポンプ（７）の運転台数を順次減らす第１制御、
前記第２ポンプ（７）が１台運転している場合、運転している前記第２ポンプ（７）の回転数を減少させる第２制御、及び
前記加熱冷却部（３）及び前記第１ポンプ（５）が運転していない場合、運転していない前記加熱冷却部（３）及び前記第１ポンプ（５）を運転させる第３制御、
の少なくとも１つが含まれる、
請求項２に記載の水熱源空調システム（１）。
【請求項４】
前記制御部（１５）は、前記異常対応制御として、前記第１制御、前記第２制御及び前記第３制御を所定の順序で行う、
請求項３に記載の水熱源空調システム（１）。
【請求項５】
前記制御部（１５）は、冷房運転時に、前記貯水部（４）内の水の温度が前記所定範囲以上となった場合、前記第１制御、前記第２制御及び前記第３制御の順序で前記異常対応制御を行う、
請求項４に記載の水熱源空調システム（１）。
【請求項６】
前記制御部（１５）は、暖房運転時に、前記貯水部（４）内の水の温度が前記所定範囲以下となった場合、前記第１制御、前記第２制御及び前記第３制御の順序で前記異常対応制御を行う、
請求項４に記載の水熱源空調システム（１）。
【請求項７】
前記第２ポンプ（７）及び前記加熱冷却部（３）はそれぞれ複数台設けられており、
前記異常対応制御には、
前記加熱冷却部（３）及び前記第１ポンプ（５）が複数台運転している場合、前記加熱冷却部（３）及び前記第１ポンプ（５）の運転台数を順次減らす第４制御、
前記第２ポンプ（７）が１台運転している場合、運転している前記第２ポンプ（７）の回転数を増加させる第５制御、及び
前記第２ポンプ（７）の運転台数を順次増やす第６制御、
の少なくとも１つが含まれる、
請求項２に記載の水熱源空調システム（１）。
【請求項８】
前記制御部（１５）は、前記異常対応制御として、前記第４制御、前記第５制御及び前記第６制御を所定の順序で行う、
請求項７に記載の水熱源空調システム（１）。
【請求項９】
前記制御部（１５）は、冷房運転時に、前記貯水部（４）内の水の温度が前記所定範囲以下となった場合、前記第４制御、前記第５制御及び前記第６制御の順序で前記異常対応制御を行う、
請求項８に記載の水熱源空調システム（１）。
【請求項１０】
前記制御部（１５）は、暖房運転時に、前記貯水部（４）内の水の温度が前記所定範囲以上となった場合、前記第４制御、前記第５制御及び前記第６制御の順序で前記異常対応制御を行う、
請求項８に記載の水熱源空調システム（１）。
【請求項１１】
前記判断結果、前記異常対応制御の内容を示す制御内容情報、及び前記異常対応制御が行われた後の異常の有無及び程度を含む結果情報、の少なくとも１つを外部に出力する出力部（１６）、
を更に備える、
請求項１〜１０のいずれかに記載の水熱源空調システム（１）。
【請求項１２】
前記貯水部（４）は、その内部が複数の区画（４１〜４４）に区分され、複数の前記区画を順に水が流れることで、前記区画毎に温度差が生じており、
前記第１ポンプ（５）は、
冷房運転時、前記貯水部（４）のうち温度の一番低い前記区画（４４）に前記加熱冷却部（３）からの水を供給し、
暖房運転時、前記貯水部（４）のうち温度の一番高い前記区画（４１）に前記加熱冷却部（３）からの水を供給する、
請求項１〜１１のいずれかに記載の水熱源空調システム（１）。
【請求項１３】
前記制御部（１５）は、
冷房運転時、前記貯水部（４）のうち温度の一番低い前記区画（４４）内の温度が前記所定範囲内となるように前記機器群（９）を制御し、
暖房運転時、前記貯水部（４）のうち温度の一番高い前記区画（４１）内の温度が前記所定範囲内となるように前記機器群（９）を制御する、
請求項１２に記載の水熱源空調システム（１）。
【発明の詳細な説明】
【技術分野】
【０００１】
本発明は、水熱源空調システム、特に、水を熱源とする空調装置の効率を向上させるシステムに関する。
【背景技術】
【０００２】
従来より、特許文献１（特開２００９−００２５３２号公報）に開示されているように、水を熱源とする空調装置を用いたシステムが知られている。特許文献１に係るシステムは、冷媒が循環する冷媒循環系統、ガスエンジン等である機械的駆動源の排熱が流れる排熱循環系統、及び冷却水が循環する冷却水循環系統を有しており、空調装置の室外機が冷却水により冷却される構成となっている。特に、特許文献１に係るシステムでは、空調装置の冷房運転時に冷却水の温度が所定温度よりも低くなった場合、機械的駆動源の排熱を冷却水循環系統における冷却水に投入することで、冷却水の温度を上昇させる制御が行われる。
【発明の概要】
【発明が解決しようとする課題】
【０００３】
ところで、上記空調装置の熱源である水を貯留するためのものとして、内部が複数の区画に区分された水槽が用いられる場合がある。当該水槽内の水は循環しており、区画毎に温度差が生じている。このような水槽においては、各区画内の水の温度制御が行われるが、各区画内の水の温度に異常が生じると、空調装置の効率（具体的には、ＣＯＰ：Ｃｏｅｆｆｉｃｉｅｎｔ  Ｏｆ  Ｐｅｒｆｏｒｍａｎｃｅ）が低下し、消費電力の増大を招く恐れがある。
【０００４】
そこで、本発明は、水を熱源とする空調装置の効率低下を防ぐことができる水熱源空調システムの提供を目的とする。
【課題を解決するための手段】
【０００５】
発明１に係る水熱源空調システムは、水を熱源とする空調装置の効率を向上させるシステムである。水熱源空調システムは、加熱冷却部と、貯水部と、第１ポンプと、第２ポンプと、制御部とを備える。加熱冷却部は、水を加熱または冷却する。貯水部は、加熱冷却部によって加熱または冷却された水を貯留する。第１ポンプは、加熱冷却部によって加熱または冷却された水を貯留部に供給可能である。第２ポンプは、貯水部内の水に基づく熱エネルギーを空調装置に供給可能である。制御部は、貯水部内の水の温度が所定範囲内となるように、機器群を制御する。機器群は、第１ポンプ、第２ポンプ、及び加熱冷却部を含む。制御部は、貯水部内の水の温度が所定範囲外となった場合、機器群に関する異常が生じていると判断し、その判断結果に基づいて機器群に対し異常対応制御を行う。
【０００６】
この水熱源空調システムによると、貯水部内の水の温度が所定範囲外である場合には、第１ポンプや第２ポンプ等を含む機器群に関する異常が生じていると判断され、機器群に対し異常対応制御が行われる。ここで、機器群に関する異常としては、例えば第２ポンプの流量過剰や流量不足等の流量異常、加熱冷却部及び第１ポンプの能力不足等が挙げられる。異常対応制御としては、第２ポンプの流量を絞る制御や逆に流量を増やす制御等が挙げられる。これにより、貯水部内の水の温度の異常を改善もしくは解消することができ、従って水を熱源とする空調装置の効率低下及び消費電力の増大を防ぐことができる。
【０００７】
尚、上記システムに係る第２ポンプは、貯水部内の水に基づく熱エネルギーを、空調装置に直接供給してもよいし、例えば熱交換器等を介して空調装置に供給してもよい。
【０００８】
発明２に係る水熱源空調システムは、発明１に係る水熱源空調システムであって、異常対応制御は、機器群に含まれる第１ポンプ、第２ポンプ及び加熱冷却部の少なくとも１つに対し、貯水部内の水の温度が所定範囲内である場合の運転とは異なる運転を行わせる制御である。
【０００９】
この水熱源空調システムによると、機器群に関する異常が生じていると制御部によって判断された場合には、機器群である第１ポンプ、第２ポンプ及び加熱冷却部の少なくとも１つに対し、正常時（即ち、水温が所定範囲内の場合）の制御とは異なる制御が行われる。従って、第１ポンプ、第２ポンプ及び加熱冷却部の中に異常の原因となるものがある場合には、当該異常を改善もしくは解消することができる。
【００１０】
発明３に係る水熱源空調システムは、発明２に係る水熱源空調システムであって、第２ポンプは複数台設けられている。異常対応制御には、第１制御、第２制御及び第３制御の少なくとも１つが含まれる。第１制御は、第２ポンプが複数台運転している場合、第２ポンプの運転台数を順次減らす制御である。第２制御は、第２ポンプが１台運転している場合、運転している第２ポンプの回転数を減少させる制御である。第３制御は、加熱冷却部及び第１ポンプが運転していない場合に、この加熱冷却部及び第１ポンプを運転させる制御である。
【００１１】
第１制御及び第２制御は、第２ポンプによって循環される水の流量を減少させる制御であって、第３制御は、加熱冷却部によって加熱または冷却された水を貯水部へ供給させる制御であると言える。この水熱源空調システムによると、生じている機器群に関する異常が第２ポンプの流量異常（具体的には、流量過剰）である場合には、第１制御及び第２制御によって当該異常が改善され、生じている機器群に関する異常が貯水部への水の供給不足に基づく異常である場合には、第３制御によって当該異常が改善もしくは解消される。
【００１２】
発明４に係る水熱源空調システムは、発明３に係る水熱源空調システムであって、制御部は、異常対応制御として、第１制御、第２制御及び第３制御を所定の順序で行う。
【００１３】
この水熱源空調システムでは、実行される異常対応制御の内容が所定の順序で変化するため、機器群に関する異常として良く考えられる第２ポンプの流量異常（具体的には、流量過剰）が生じている場合には、第１制御及び第２制御によって当該異常が改善もしくは解消される。また、機器群に関する異常として良く考えられる貯水部への水の供給不足に基づく異常が生じている場合には、第３制御によって当該異常が改善もしくは解消される。つまり、この水熱源空調システムによると、このような第１制御から第３制御が異常対応制御として順に行われるため、機器群に関する異常の内容が特定されていなくとも、変化する異常対応制御の内容のいずれかによって機器群に関する異常が改善もしくは解消される。従って、貯水部内の水の温度の異常を改善もしくは解消することができる。
【００１４】
発明５に係る水熱源空調システムは、発明４に係る水熱源空調システムであって、制御部は、冷房運転時に、貯水部内の水の温度が所定範囲以上となった場合、第１制御、第２制御及び第３制御の順序で異常対応制御を行う。
【００１５】
冷房運転時に、貯水部内の水の温度が所定範囲以上となった場合の機器群に関する異常の内容としては、第２ポンプの流量異常（具体的には、流量過剰）が最も良く挙げられ、次いで、貯水部への水の供給不足に基づく異常が挙げられる。この水熱源空調システムでは、冷房運転時、貯水部内の水の温度が所定範囲以上となった場合、最も可能性の高い第２ポンプの流量異常（流量過剰）に対応する第１制御及び第２制御が行われ、次いで次に可能性の高い貯水部への水の供給不足に対応する第３制御が行われる。即ち、この水熱源空調システムでは、機器群に関する異常の内容として可能性の高い順に、対応する制御が行われるため、比較的早く機器群に関する異常を改善もしくは解消することができ、従って貯水部内の水の温度の異常を改善もしくは解消することができる。
【００１６】
発明６に係る水熱源空調システムは、発明４に係る水熱源空調システムであって、制御部は、暖房運転時に、貯水部内の水の温度が所定範囲以下となった場合、第１制御、第２制御及び第３制御の順序で異常対応制御を行う。
【００１７】
暖房運転時に、貯水部内の水の温度が所定範囲以下となった場合の機器群に関する異常の内容としては、第２ポンプの流量異常（具体的には、流量過剰）が最も良く挙げられ、次いで、貯水部への水の供給不足に基づく異常が挙げられる。この水熱源空調システムでは、暖房運転時、貯水部内の水の温度が所定範囲以下となった場合、最も可能性の高い第２ポンプの流量異常（流量過剰）に対応する第１制御及び第２制御が行われ、次いで次に可能性の高い貯水部への水の供給不足に対応する第３制御が行われる。即ち、この水熱源空調システムでは、機器群に関する異常の内容として可能性の高い順に、対応する制御が行われるため、比較的早く機器群に関する異常を改善もしくは解消することができ、従って貯水部内の水の温度の異常を改善もしくは解消することができる。
【００１８】
発明７に係る水熱源空調システムは、発明２に係る水熱源空調システムであって、第２ポンプ及び加熱冷却部は、それぞれ複数台設けられている。異常対応制御には、第４制御、第５制御及び第６制御の少なくとも１つが含まれる。第４制御は、加熱冷却部及び第１ポンプが複数台運転している場合、加熱冷却部及び第１ポンプの運転台数を順次減らす制御である。第５制御は、第２ポンプが１台運転している場合、運転している第２ポンプの回転数を増加させる制御である。第６制御は、第２ポンプの運転台数を順次増やす制御である。
【００１９】
第４制御は、加熱冷却部及び第１ポンプの運転能力を減らす制御であって、第５制御及び第６制御は、第２ポンプによって循環される水の流量を増加させる制御であると言える。この水熱源空調システムによると、生じている機器群に関する異常の内容が加熱冷却部の運転能力の過剰さである場合には、第４制御によって当該異常が改善もしくは解消され、生じている機器群に関する異常の内容が第２ポンプによる流量異常（具体的には、流量不足）である場合には、第５制御及び第６制御によって当該異常が改善もしくは解消される。
【００２０】
発明８に係る水熱源空調システムは、発明７に係る水熱源空調システムであって、制御部は、異常対応制御として、第４制御、第５制御及び第６制御を所定の順序で行う。
【００２１】
この水熱源空調システムでは、実行される異常対応制御の内容が所定の順序で変化するため、機器群に関する異常の内容として良く考えられる加熱冷却部及び第１ポンプの運転能力の過剰さが生じている場合には、第４制御によって当該異常が改善される。また、第２ポンプの流量異常（具体的には、流量不足）が機器群に関する異常の内容として生じている場合には、第５制御または第６制御によって当該異常が改善もしくは解消される。つまり、この水熱源空調システムによると、このような第４制御から第６制御が異常対応制御として順に行われるため、機器群に関する異常の内容が特定されていなくとも、変化する異常対応制御の内容のいずれかによって機器群に関する異常が改善もしくは解消される。従って、貯水部内の水の温度異常を改善もしくは解消することができる。
【００２２】
発明９に係る水熱源空調システムは、発明８に係る水熱源空調システムであって、制御部は、冷房運転時に、貯水部内の水の温度が所定範囲以下となった場合、第４制御、第５制御及び第６制御の順序で異常対応制御を行う。
【００２３】
冷房運転時に、貯水部内の水の温度が所定範囲以下となった場合の機器群に関する異常の内容としては、加熱冷却部及び第１ポンプの運転能力の過剰さが最も良く挙げられ、次いで、第２ポンプの流量異常（具体的には、流量不足）が挙げられる。この水熱源空調システムでは、冷房運転時、貯水部内の水の温度が所定範囲以下となった場合、最も可能性の高い加熱冷却部及び第１ポンプの運転能力の過剰さに対応する第４制御が行われ、次いで次に可能性の高い第２ポンプの流量異常（流量不足）に対応する第５制御及び第６制御が行われる。即ち、この水熱源空調システムでは、機器群に関する異常の内容として可能性の高い順に、対応する制御が行われるため、比較的早く機器群に関する異常を改善もしくは解消することができ、従って貯水部内の水の温度の異常を改善もしくは解消することができる。
【００２４】
発明１０に係る水熱源空調システムは、発明８に係る水熱源空調システムであって、制御部は、暖房運転時に、貯水部内の水の温度が所定範囲以上となった場合、第４制御、第５制御及び第６制御の順序で異常対応制御を行う。
【００２５】
暖房運転時に、貯水部内の水の温度が所定範囲以上となった場合の機器群に関する異常の内容としては、加熱冷却部及び第１ポンプの運転能力の過剰さが最も良く挙げられ、次いで第２ポンプの流量異常（具体的には、流量不足）が挙げられる。この水熱源空調システムでは、暖房運転時、貯水部内の水の温度が所定範囲以上となった場合、最も可能性の高い加熱冷却部及び第１ポンプの運転能力の過剰さに対応する第４制御が行われ、次いで次に可能性の高い第２ポンプの流量異常（流量不足）に対応する第５制御及び第６制御が行われる。即ち、この水熱源空調システムでは、機器群に関する異常の内容として可能性の高い順に、対応する制御が行われるため、比較的早く機器群に関する異常を改善もしくは解消することができ、従って貯水部内の水の温度の異常を改善もしくは解消することができる。
【００２６】
発明１１に係る水熱源空調システムは、発明１〜１０のいずれかに係る水熱源空調システムであって、出力部を更に備える。出力部は、判断結果、制御内容情報、及び結果情報の少なくとも１つを外部に出力する。制御内容情報は、異常対応制御の内容を示す情報である。結果情報は、異常対応制御が行われた後の異常の有無及び程度を含む情報である。
【００２７】
出力部による判断結果、制御内容情報及び結果情報の出力先としては、水熱源空調システムを遠隔制御するためのリモートコントローラや、当該システムが通信ネットワークを介して接続されている外部端末等が挙げられる。従って、この水熱源空調システムによると、出力部によってリモートコントローラや外部端末に出力される判断結果、制御内容情報及び結果情報により、当該システムのユーザや外部端末の操作者は、水熱源空調システムにおける異常の有無や、当該異常の内容、異常対応制御が行われた後のシステムの状態等を知ることができる。そのため、未だ機器群に関する異常が改善もしくは解消されていない場合には、システムのユーザや外部端末の操作者は、それまでに行った制御とは別の制御を策として講じることができる。また、結果情報が、機器群に関する異常が改善もしくは解消されたことを示す情報であれば、ユーザや外部端末の操作者は、当該結果情報及び制御内容情報に基づき、生じていた機器群に関する異常の内容を特定することができる。
【００２８】
発明１２に係る水熱源空調システムは、発明１〜１１のいずれかに係る水熱源空調システムであって、貯水部は、その内部が複数の区画に区分されており、複数の区画を順に水が流れることで、区画毎に温度差が生じている。第１ポンプは、冷房運転時、貯水部のうち温度の一番低い区画に加熱冷却部からの水を供給する。また、第１ポンプは、暖房運転時、貯水部のうち温度の一番高い区画に加熱冷却部からの水を供給する。
【００２９】
ここで、加熱冷却部は、冷房運転時には水を冷却し、暖房運転時には水を加熱する。そのため、冷房運転及び暖房運転のどちらの運転が行われても、貯水部内は、低い側の区画では温度が低く、高い側の区画では温度が高くなる。
【００３０】
発明１３に係る水熱源空調システムは、発明１２に係る水熱源空調システムであって、制御部は、冷房運転時、貯水部のうち温度の一番低い区画内の温度が所定範囲内となるように、機器群を制御する。制御部は、暖房運転時、貯水部のうち温度の一番高い区画内の温度が所定範囲内となるように、機器群を制御する。
【００３１】
この水熱源空調システムでは、冷房運転時には、一番温度の低い区画内の水の温度によって機器群に関する異常の判断が行われ、暖房運転時には、一番温度の高い区画内の水の温度によって機器群に関する異常の判断が行われる。
【発明の効果】
【００３２】
発明１に係る水熱源空調システムによると、貯水部内の水の温度の異常を改善もしくは解消することができ、従って水を熱源とする空調装置の効率低下及び消費電力の増大を防ぐことができる。
【００３３】
発明２に係る水熱源空調システムによると、機器群である第１ポンプ、第２ポンプ及び加熱冷却部の中に異常の原因となるものがある場合には、当該異常を改善もしくは解消することができる。
【００３４】
発明３に係る水熱源空調システムによると、生じている機器群に関する異常が第２ポンプの流量異常（具体的には、流量過剰）である場合には、第１制御及び第２制御によって当該異常が改善され、生じている機器群に関する異常が貯水部への水の供給不足に基づく異常である場合には、第３制御によって当該異常が改善もしくは解消される。
【００３５】
発明４に係る水熱源空調システムによると、第１制御から第３制御が異常対応制御として順に行われるため、機器群に関する異常の内容が特定されていなくとも、変化する異常対応制御の内容のいずれかによって機器群に関する異常が改善もしくは解消される。従って、貯水部内の水の温度の異常を改善もしくは解消することができる。
【００３６】
発明５及び発明６に係る水熱源空調システムによると、機器群に関する異常の内容として可能性の高い順に、対応する制御が行われるため、比較的早く機器群に関する異常を改善もしくは解消することができ、従って貯水部内の水の温度の異常を改善もしくは解消することができる。
【００３７】
発明７に係る水熱源空調システムによると、生じている機器群に関する異常の内容が加熱冷却部及び第１ポンプの運転能力の過剰さである場合には、第４制御によって当該異常が改善もしくは解消され、生じている機器群に関する異常の内容が第２ポンプによる流量異常（具体的には、流量不足）である場合には、第５制御及び第６制御によって当該異常が改善もしくは解消される。
【００３８】
発明８に係る水熱源空調システムによると、第４制御から第６制御が異常対応制御として順に行われるため、機器群に関する異常の内容が特定されていなくとも、変化する異常対応制御の内容のいずれかによって機器群に関する異常が改善もしくは解消される。従って、貯水部内の水の温度の異常を改善もしくは解消することができる。
【００３９】
発明９及び発明１０に係る水熱源空調システムによると、機器群に関する異常の内容として可能性の高い順に、対応する制御が行われるため、比較的早く機器群に関する異常を改善もしくは解消することができ、従って貯水部内の水の温度の異常を改善もしくは解消することができる。
【００４０】
発明１１に係る水熱源空調システムによると、未だ機器群に関する異常が改善もしくは解消されていない場合には、システムのユーザや外部端末の操作者は、それまでに行った制御とは別の制御を策として講じることができる。また、結果情報が、機器群に関する異常が改善もしくは解消されたことを示す情報であれば、ユーザや外部端末の操作者は、当該結果情報及び制御内容情報に基づき、生じていた機器群に関する異常の内容を特定することができる。
【００４１】
発明１２に係る水熱源空調システムによると、冷房運転及び暖房運転のどちらの運転が行われても、貯水部内は、低い側の区画では温度が低く、高い側の区画では温度が高くなる。
【００４２】
発明１３に係る水熱源空調システムによると、冷房運転時には、一番温度の低い区画内の水の温度によって機器群に関する異常の判断が行われ、暖房運転時には、一番温度の高い区画内の水の温度によって機器群に関する異常の判断が行われる。
【図面の簡単な説明】
【００４３】
【図１】本実施形態に係る水熱源空調システムの構成を概略的に示す図。
【図２】本実施形態に係る水熱源空調システムの制御部、及び制御部に接続された機器を模式的に示す図。
【図３】本実施形態に係る水熱源空調システムの冷房サイクルの説明図。
【図４】本実施形態に係る水熱源空調システムが冷房サイクルを行う場合の、水槽の各区画内の温度を示すグラフ。
【図５】本実施形態に係る水熱源空調システムの暖房サイクルの説明図。
【図６】本実施形態に係る水熱源空調システムが暖房サイクルを行う場合の、水槽の各区画内の温度を示すグラフ。
【図７】判断結果、制御内容情報及び結果情報の画面表示例。
【図８】本実施形態に係る水熱源空調システムの全体的な動作の流れを示すフローチャート。
【図９】本実施形態に係る水熱源空調システムの全体的な動作の流れを示すフローチャート。
【図１０】図８，９に係る異常対応制御１を示すサブルーチン。
【図１１】図８，９に係る異常対応制御２を示すサブルーチン。
【発明を実施するための形態】
【００４４】
以下、本発明に係る水熱源空調システムについて、図面を用いて詳述する。
【００４５】
（１）概要
図１は、本実施形態に係る水熱源空調システム１の構成図である。図１の水熱源空調システム１は、水を熱源とする空調装置２ａ，２ｂを、当該水を用いて駆動させるためのシステムであって、空調装置２ａ，２ｂの効率（具体的には、ＣＯＰ：Ｃｏｅｆｆｉｃｉｅｎｔ  Ｏｆ  Ｐｅｒｆｏｒｍａｎｃｅ）を向上させることができる。水熱源空調システム１は、主として、空調装置２ａ，２ｂの熱源である水を貯留する１次側回路１ａと、貯留されている水の熱エネルギーを１次側回路１ａから受け取り空調装置２ａ，２ｂへと送る２次側回路１ｂとで構成されている。
【００４６】
ここで、空調装置２ａ，２ｂは、冷房運転及び暖房運転を行うことが可能であって、屋外に設置されている室外機２１ａ，２１ｂと、空調対象空間となる室内の壁や天井等に設置されている室内機２３ａ，２３ｂとを、それぞれ有している。各室外機２１ａ，２１ｂは、内部に室外機用水熱交換器２２ａ，２２ｂを有している。室外機用水熱交換器２２ａ，２２ｂは、２次側回路１ｂ内を流れる水と、室外機２１ａ，２１ｂ及び室内機２３ａ，２３ｂの間を流れる冷媒との間で熱交換を行う。室外機２１ａ，２１ｂ及び室内機２３ａ，２３ｂの間を流れる冷媒としては、ＨＦＣ系冷媒の一種であるＨＦＣ−４１０Ａや、ＣＯ2等が挙げられる。その他、室外機２１ａ，２１ｂは、圧縮機や室外ファン（いずれも図示せず）等を有している。また、室内機２３ａ，２３ｂは、室内ファン（図示せず）等を有しており、冷たい空気（冷房運転の場合）や暖かい空気（暖房運転の場合）を室内に供給することができる。
【００４７】
そして、本実施形態に係る水熱源空調システム１は、空調装置２ａ，２ｂが冷房運転を行う際には冷房サイクルを行い、空調装置２ａ，２ｂが暖房運転を行う際には暖房サイクルを行う。冷房サイクル及び暖房サイクルについては、「（３）動作」の「（３−１）冷房サイクル」「（３−２）暖房サイクル」にて説明する。特に、本実施形態に係る水熱源空調システム１は、１次側回路１ａにおいて、空調装置２ａ，２ｂの熱源となる水を貯留する水槽４（貯水部に相当）を有している。水熱源空調システム１は、当該水槽４内の水の温度制御を行うことで、空調装置２ａ，２ｂに供給される熱エネルギーの調整を行い、空調装置２ａ，２ｂの効率の向上を実現させている。従って、水槽４内の水の温度が異常となると、この異常は空調装置２ａ，２ｂに供給される熱エネルギーに影響を及ぼし、その結果空調装置２ａ，２ｂの効率を低下させてしまう。そこで、水熱源空調システム１は、水槽４内の水の温度が異常となった場合、この異常を解消もしくは改善するような制御を１次側回路１ａに対し行うことで、空調装置２ａ，２ｂの効率の低下を防ぐ。
【００４８】
尚、１次側回路１ａ及び２次側回路１ｂを構成する各機器は、室内機２３ａ，２３ｂの設置されている空調対象空間とは別の空間に設置されている。また、図１等では、一例として、空調装置２ａ，２ｂの設置台数が２台である場合を表しているが、空調装置２ａ，２ｂの設置台数はこれに限定されず、何台であってもよい。
【００４９】
（２）構成
以下より、本実施形態に係る水熱源空調システム１の詳細な構成について説明する。
【００５０】
図１に示すように、水熱源空調システム１は、１次側回路１ａを構成する機器として、チラー３（加熱冷却部に相当）、水槽４、第１ポンプ５及び第２ポンプ７を備えると共に、２次側回路１ｂを構成する機器として、熱交換器１０及び第３ポンプ１１を備える。更に、水熱源空調システム１は、図２に示すように、制御部１５及び出力部１６を備える。
【００５１】
１次側回路１ａのチラー３、水槽４及び第１ポンプ５は、配管Ｌ１，Ｌ２によって環状に接続されている。２次側回路１ｂの熱交換器１０及び第３ポンプ１１は、配管Ｌ４，Ｌ５，Ｌ６によって互いに接続されていると共に、空調装置２ａ，２ｂにも直接接続されている。
【００５２】
（２−１）チラー
チラー３は、空調装置２ａ，２ｂの熱源となる水を加熱または冷却するためのものである。チラー３によって加熱または冷却された水は、配管Ｌ１または配管Ｌ２を介して水槽４に貯留される。尚、チラー３による水の加熱動作及び冷却動作は、制御部１５によって制御される。
【００５３】
尚、図１、図３、図５においては、１台のチラー３を図示してはいるが、本実施形態に係るチラー３は、複数台が並列に設置されている。具体的には、複数台のチラー３は、互いに並列に、それぞれ配管Ｌ１，Ｌ２に接続されている。個々のチラー３のオン及びオフは、制御部１５によって制御され、各チラー３が加熱または冷却した水は、配管Ｌ１または配管Ｌ２を経て水槽４に供給される。
【００５４】
（２−２）水槽
水槽４は、チラー３によって加熱または冷却された水を貯留するためのものである。つまり、水槽４は、空調装置２ａ，２ｂの熱源を蓄熱するためのものである。一例として、水槽４は、密閉型ではなく、上側が開放された直方体の形状を有しており、例えば深さが３ｍ、横が１０ｍ、奥行きが２０ｍの大きさを有する。
【００５５】
特に、本実施形態に係る水槽４は、図１に示すように、内部が複数の区画に区分されている。具体的に、本実施形態に係る水槽４は、高温側区画４１、中高温側区画４２、中低温側区画４３、低温側区画４４の４つの区画に区分されている。水槽４の内部においては、高温側区画４１、中高温側区画４２、中低温側区画４３及び低温側区画４４の順（または、低温側区画４４、中低温側区画４３、中高温側区画４２、高温側区画４１の順）に水が流れており、これによって水槽４内部には、図４，６に示すような温度差が区画毎に生じている。図４，６では、横軸を区画の種類、縦軸を区画内の温度として、水槽４内の区画毎の水の温度を表している。図４，６に示すように、高温側区画４１における水の温度が最も高く、逆に低温側区画４４における水の温度が最も低くなっている。つまり、図４，６に示すように、水槽４内の温度は、高温側区画４１から低温側区画４４へと連続的に低くなっているが、ここでは、各区画における中間点あたりの温度を、“各区画の温度”と言う。一例としては、高温側区画４１、中高温側区画４２、中低温側区画４３、低温側区画４４の順に、各区画内の水の温度はそれぞれ３０℃、２６．７℃、２３．３℃、２０℃である。尚、水槽４内の水の流れは、後述する第１ポンプ５と第２ポンプ７との流量の差によって生成される。
【００５６】
尚、図示してはいないが、水槽４の内側であって、かつ各区画４１〜４４の中央付近には、水槽４内の水の温度を検出するための温度センサが設けられている。特に、低温側区画４４内の中央付近の部分、ならびに高温側区画４１内の中央付近の部分に、それぞれ温度センサが設けられている。この温度センサによって検出された水の温度は、制御部１５によって取り込まれ、水熱源空調システム１の１次側回路１ａにおいて異常が生じているか否かを制御部１５が把握する際に用いられる。
【００５７】
（２−３）第１ポンプ
第１ポンプ５は、チラー３と水槽４とを繋ぐ配管Ｌ１上に接続されている。第１ポンプ５は、チラー３によって加熱または冷却された水を水槽４に供給することができ、常にチラー３と同期して運転を行う。具体的には、第１ポンプ５は、冷房サイクル時には、チラー３によって冷却された水を配管Ｌ１を介して水槽４の低温側区画４４へと送り、高温側区画４１内の水を配管Ｌ２を介してチラー３へと戻す（図３）。逆に、暖房サイクル時には、第１ポンプ５は、チラー３によって加熱された水を配管Ｌ２を介して水槽４の高温側区画４１へと送り、低温側区画４４内の水を配管Ｌ１を介してチラー３へと戻す（図５）。尚、冷房サイクル及び暖房サイクル時に、第１ポンプ５が高温側区画４１及び低温側区画４４のどちらに水を供給するかについては、第１ポンプ５の流出口側に接続されている四路切換弁６によって切り換えられる。
【００５８】
このような第１ポンプ５としては、遠心式や容積式のポンプ要素（図示せず）が第１ポンプ５用のモータ（図示せず）によって駆動されるポンプを採用することができる。第１ポンプ５用のモータは、インバータ装置（図示せず）によってその回転数（即ち、運転周波数）を可変でき、これにより第１ポンプ５の容量制御ができる。
【００５９】
（２−４）第２ポンプ
第２ポンプ７は、水槽４の低温側区画４４と熱交換器１０と高温側区画４１とを繋ぐ配管Ｌ３上に接続されている。第２ポンプ７は、水槽４内の水に基づく熱エネルギーを空調装置２ａ，２ｂに供給することができる。具体的に、第２ポンプ７は、冷房サイクル時には、水槽４内の水を低温側区画４４から熱交換器１０を経由して、高温側区画４１へと送り（図３）、暖房サイクル時には、水槽４内の水を高温側区画４１から熱交換器１０を経由して、低温側区画４４へと送ることができる（図５）。尚、第２ポンプ７が水槽４内の水を低温側区画４４から熱交換器１０、または高温側区画４１から熱交換器１０のどちらの方向に流すかについては、第２ポンプ７の流出口側に接続されている四路切換弁８によって切り換えられる。
【００６０】
このような第２ポンプ７としては、第１ポンプ５と同様、遠心式や容積式のポンプ要素（図示せず）が第２ポンプ７用のモータ（図示せず）によって駆動されるポンプを採用することができる。第２ポンプ７用のモータは、インバータ装置（図示せず）によってその回転数（即ち、運転周波数）を可変でき、これにより第２ポンプ７の容量制御ができる。
【００６１】
尚、本実施形態では、図示してはいないが、第２ポンプ７が複数台設けられており、複数の第２ポンプ７は互いに並列に接続されている。個々の第２ポンプ７のオン及びオフ等の制御は、制御部１５によって制御され、複数の第２ポンプ７は、それぞれ水槽４から水を吸い上げて熱交換器１０へと送り、熱交換器１０にて熱交換された後の水を再度水槽４に戻すことができる。
【００６２】
尚、以下では、説明の便宜上、１次側回路１ａに含まれる第１ポンプ５、第２ポンプ７及びチラー３を、まとめて機器群９と言う（図２）。
【００６３】
（２−５）熱交換器
熱交換器１０は、１次側回路１ａの配管Ｌ３上を流れている水槽４からの水と、２次側回路１ｂの配管Ｌ４，Ｌ５，Ｌ６上を流れている水との間で熱交換を行う、いわゆる水―水熱交換器である。熱交換器１０にて熱交換された後の２次側回路１ｂ側の水は、空調装置２ａ，２ｂに供給されることから、熱交換器１０は、空調装置２ａ，２ｂの熱源として機能する。
【００６４】
（２−６）第３ポンプ
第３ポンプ１１は、配管Ｌ５と空調装置２ａ，２ｂに直接繋がれている配管Ｌ６との間に接続されており、２次側回路１ｂの水の流れを生成する。具体的には、冷房サイクル時、第３ポンプ１１は、四路切換弁１２による流路切り換え動作により、室外機２１ａ，２１ｂから配管Ｌ６、第３ポンプ１１、配管Ｌ５、熱交換器１０、配管Ｌ４を介して再度室外機２１ａ，２１ｂへと水が流れるように、水を循環させる（図３）。また、暖房サイクル時、第３ポンプ１１は、四路切換弁１２による流路切り換え動作により、室外機２１ａ，２１ｂから配管Ｌ４、熱交換器１０、配管Ｌ５、第３ポンプ１１、配管Ｌ６を介して再度室外機２１ａ，２１ｂと水が流れるように、水を循環させる（図５）。尚、第３ポンプ１１が水を室外機２１ａ，２１ｂからどちらの配管Ｌ４，Ｌ６へと流すかについては、第３ポンプ１１の流出口側に接続されている四路切換弁１２によって切り換えられる。
【００６５】
このような第３ポンプ１１としては、第１ポンプ５や第２ポンプ７と同様、遠心式や容積式のポンプ要素（図示せず）が第３ポンプ１１用のモータ（図示せず）によって駆動されるポンプを採用することができる。第３ポンプ１１用のモータは、インバータ装置（図示せず）によってその回転数（即ち、運転周波数）を可変でき、これにより第３ポンプ１１の容量制御ができる。
【００６６】
（２−７）制御部
制御部１５は、ＲＡＭやＲＯＭ等のメモリとＣＰＵとで構成されるマイクロコンピュータであって、図２に示すように、１次側回路１ａの機器群９（具体的には、チラー３、第１ポンプ５及び第２ポンプ７）、１次側回路１ａ及び２次側回路１ｂの四路切換弁６，８，１２、２次側回路１ｂの第３ポンプ１１と接続されており、接続された各機器の制御を行う。例えば、制御部１５は、チラー３によって加熱または冷却される水の温度の決定、チラー３のオン及びオフの制御、水槽４内の高温側区画４１または低温側区画４４の基準となる温度の設定（以下、設定値という）、冷房サイクル及び暖房サイクル毎の四路切換弁６，８，１２の流路切り換え制御を行う。設定値は、冷房サイクル及び暖房サイクルが開始される際の、水の温度の目標値として用いられる。また、制御部１５は、第１ポンプ５、第２ポンプ７、及び第３ポンプ１１それぞれのオン及びオフや、回転数制御等を行う。
【００６７】
特に、本実施形態に係る制御部１５は、冷房サイクル及び暖房サイクル時、水槽４の水の温度（具体的には、低温側区画４４または高温側区画４１内の温度）が所定範囲内となるように、機器群９を制御する。そして、制御部１５は、水槽４の水の温度が所定範囲外となった場合には、機器群９に関する異常が生じていると判断し、その判断結果に基づいて機器群９に対し異常対応制御を行う。
【００６８】
−所定範囲−
ここで、所定範囲について説明する。所定範囲の上限値及び下限値は、高温側区画４１または低温側区画４４における設定値に対して所定の幅増減した値となっている。
【００６９】
例えば、図４，６に示すように、低温側区画４４において、設定値が“２０℃”であるとすると、所定範囲は“１５〜２５℃”であり、この場合、上限値が“２５℃”、下限値が“１５℃”となる。また、高温側区画４１において、設定値が“３０℃”であるとすると、所定範囲は“２５〜３５℃”であり、この場合、上限値が“３５℃”、下限値が“２５℃”となる。従って、例えば冷房サイクル時、低温側区画４４の水の温度が“２３℃”であれば、制御部１５は、当該温度“２３℃”は低温側区画４４における所定の範囲“１５〜２５℃”内であるため、機器群９に関する異常は生じていないと判断する。しかし、低温側区画４４の水の温度が“３１℃”であれば、制御部１５は、当該温度“３１℃”は低温側区画４４における所定の範囲“１５〜２５℃”外であるため、機器群９に関する異常が生じていると判断する。
【００７０】
尚、本実施形態では、水熱源空調システム１が冷房サイクルを行っている場合には、異常が生じているか否かを判断する際の所定範囲としては、図４の所定範囲Ａが用いられる。所定範囲Ａは、冷房サイクル時における低温側区画４４側の水の温度範囲である。従って、所定範囲Ａ内か否かを判断する際に用いられる水の温度は、低温側区画４４内に設けられた温度センサ（図示せず）の検知結果が用いられる。逆に、水熱源空調システム１が暖房サイクルを行っている場合には、所定範囲としては、図６の所定範囲Ｂが用いられる。所定範囲Ｂは、暖房サイクル時における高温側区画４１側の水の温度範囲である。従って、所定範囲Ｂ内か否かを判断する際に用いられる水の温度は、高温側区画４１内に設けられた温度センサ（図示せず）の検知結果が用いられる。
【００７１】
−異常対応制御−
次に、異常対応制御について具体的に説明する。異常対応制御は、機器群９に含まれる第１ポンプ５、第２ポンプ７及びチラー３の少なくとも１つに対し、水槽４に供給される水の温度が所定範囲Ａ，Ｂ内である場合の運転とは異なる運転を行わせる制御である。言い換えると、異常対応制御とは、機器群９に関する異常が生じたと判断されるまで（即ち、正常時）に行われていた動作とは異なる動作を、異常が生じたと判断した場合に第１ポンプ５等に行わせる制御である。
【００７２】
具体的に、異常対応制御には、以下の第１制御〜第６制御が含まれる。
（Ｉ）第２ポンプ７の運転台数が複数台である場合、第２ポンプ７の運転台数を順次減らす第１制御
（ＩＩ）第２ポンプ７の運転台数が１台である場合、運転している第２ポンプ７の回転数を減少させる第２制御
（ＩＩＩ）チラー３及び第１ポンプ５が運転していない場合、運転していないチラー３及び第１ポンプ５を運転させる第３制御
（ＩＶ）チラー３及び第１ポンプ５の運転台数が複数台である場合、チラー３及び第１ポンプ５の運転台数を順次減らす第４制御
（Ｖ）第２ポンプ７の運転台数が１台である場合、運転している第２ポンプ７の回転数を増加させる第５制御
（ＶＩ）複数台の第２ポンプ７の運転台数を順次増やす第６制御
【００７３】
第１制御及び第２制御は、第２ポンプ７の流量が過剰である流量異常が機器群９に関する異常として生じている場合に有効である。第１制御及び第２制御が行われることにより、第２ポンプ７によって循環される水の流量が減少するため、上記流量異常（即ち、流量過剰）を改善もしくは解消することができる。第３制御は、チラー３からの水の水槽４への供給不足が機器群９に関する異常として生じている場合に有効である。第３制御が行われることにより、それまで運転していなかったチラー３及び第１ポンプ５が駆動し、チラー３によって加熱または冷却された水が水槽４へ供給されるため、上述した水の供給不足を改善もしくは解消することができる。尚、第３制御において、既にチラー３及び第１ポンプ５が駆動している場合には、水槽４への水の供給量を増加させるべく、例えば第１ポンプ５の回転数を上げたりチラー３の運転能力を上げたりしてもよい。
【００７４】
第４制御は、チラー３及び第１ポンプ５の運転能力の過剰さが機器群９に関する異常として生じている場合に有効である。第４制御が行われることにより、チラー３による水の加熱能力または冷却能力、ならびに第１ポンプ５の運転能力が抑えられるため、チラー３及び第１ポンプ５の運転能力の過剰さを改善もしくは解消することができる。尚、第４制御において、チラー３及び第１ポンプ５の運転台数を１台にまで減少させたが、更にチラー３による水の加熱能力または冷却能力を抑えたり第１ポンプ５の運転能力を下げたりしたい場合には、運転しているチラー３の運転能力自体を下げたり、第１ポンプ５の回転数を減少させることで水槽４に供給される水の流量を減少させたりしてもよい。第５制御及び第６制御は、第２ポンプ７の流量異常（具体的には、流量不足）が機器群９に関する異常として生じている場合に有効である。第５制御及び第６制御が行われることにより、第２ポンプ７によって循環される水の流量が増加するため、第２ポンプ７の流量異常（流量不足）を解消することができる。
【００７５】
そして、本実施形態においては、上述した第１制御〜第３制御は、冷房サイクル時に、低温側区画４４の水の温度が所定範囲Ａの上限値を超えた場合に、第１制御、第２制御、第３制御の順序で行われる。また、第１制御〜第３制御は、暖房サイクル時に、高温側区画４１の水の温度が所定範囲Ｂの下限値を下回った場合に、第１制御、第２制御、第３制御の順序で行われる。各制御は、所定時間の間行われる。所定時間としては、例えば１０分が挙げられる。
【００７６】
また、本実施形態においては、上述した第４制御〜第６制御は、冷房サイクル時に、低温側区画４４の水の温度が所定範囲Ａの下限値を下回った場合に、第４制御、第５制御、第６制御の順序で行われる。また、第４制御〜第６制御は、暖房サイクル時に、高温側区画４１の水の温度が所定範囲Ｂの上限値を超えた場合に、第４制御、第５制御、第６制御の順序で行われる。各制御は、所定時間の間行われる。所定時間としては、例えば１０分が挙げられる。
【００７７】
上述のように、制御部１５は、第１制御〜第３制御ないしは第４制御〜第６制御を、各制御につき所定時間ずつ行うが、これらの制御を行っている間、水槽４の水の温度を監視し、機器群９に関する異常が改善もしくは解消したか否かを判断する。つまり、制御部１５は、上述した異常対応制御を行っている間、冷房サイクルが行われている場合には低温側区画４４内の温度センサ（図示せず）から検知結果を例えば５分毎に取得し、当該検知結果が所定範囲Ａ内か否かを確認する。また、制御部１５は、上述した異常対応制御を行っている間、暖房サイクルが行われている場合には高温側区画４１内の温度センサ（図示せず）から検知結果を例えば５分毎に取得し、当該検知結果が所定範囲Ｂ内か否かを確認する。当該検知結果が所定範囲Ａ，Ｂ内であれば、制御部１５は、生じていた機器群９に関する異常が解消したために水槽４内の水の温度が正常となったと判断すると共に、次に行おうと予定していた制御はする必要がなくなったと判断し、現在行っている異常対応制御をそのまま継続させる。例えば、第２制御を１０分行ったことにより機器群９に関する異常が解消した場合には、制御部１５は、次に行う予定であった第３制御は行わず、第２制御を行った状態で冷房サイクルまたは暖房サイクルを行う。このように、異常対応制御を行うことによって水槽４内の水の温度が改善もしくは解消されたということは、即ち実際に生じていた機器群９に関する異常の内容と実際に行った異常対応制御の内容とが対応していたということとなり、機器群９に関する異常の内容を特定することができる。
【００７８】
逆に、第１制御〜第３制御ないしは第４制御〜第６制御を行っていても、検知結果が依然として所定範囲Ａ，Ｂ外であれば、制御部１５は、異常対応制御を開始する前の検知結果と今回の検知結果とを比較し、どちらの値が所定範囲Ａ，Ｂに近いかを判断する。異常対応制御を開始する前の検知結果よりも今回の検知結果の方が所定範囲Ａ，Ｂに近ければ、制御部１５は、現在行っていた制御により機器群９に関する異常が改善されつつあると判断し、現在の制御を所定時間の間継続させる。例えば、第２制御によって機器群９に関する異常が改善されつつあれば、第２制御が例えば１０分間継続して行われる。一方、異常対応制御を開始する前の検知結果と今回の検知結果とがほぼ同一の値、もしくは異常対応制御を開始する前の検知結果の方が今回の検知結果よりも所定範囲Ａ，Ｂに近い場合には、制御部１５は、現在行っている制御では機器群９に関する異常を改善することができないと判断し、次に行おうと予定している第１制御〜第３制御、第４制御〜第６制御を行う。例えば、第２制御が所定時間行われた後でも水槽４内の水の温度が改善しない場合には、制御部１５は、機器群９に関する異常が改善していないものと判断し、異常対応制御を第２制御から第３制御に切り換える。また、制御部１５は、第１制御〜第３制御全てないしは第４制御〜第６制御全てを行ったが、水槽４内の水の温度の異常が改善されておらず、検知結果が依然として所定範囲Ａ，Ｂ外であれば、水槽４内の水の温度の異常は機器群９以外が原因で生じているものと判断し、通常の制御に戻す。特に、第１〜第３制御や第４制御〜第６制御の異常対応制御を行ったが、検知結果が異常対応制御の開始前よりも更に所定範囲Ａ，Ｂの上限値及び下限値から離れた値となった場合には、制御部１５は、生じている異常の程度が異常対応制御によって悪化したと判断し、直ちに異常対応制御開始前に行っていた制御に戻す。
【００７９】
まとめると、制御部１５は、冷房サイクル時に低温側区画４４の水の温度が所定範囲Ａの上限値を越えた場合、及び暖房サイクル時に高温側区画４１の水の温度が所定範囲Ｂの下限値を下回った場合、第１制御、第２制御、第３制御の順序で異常対応制御を行う。また、制御部１５は、冷房サイクル時に低温側区画４４の水の温度が所定範囲Ａの下限値を下回った場合、及び暖房サイクル時に高温側区画４１の水の温度が所定範囲Ｂの上限値を越えた場合、第４制御、第５制御、第６制御の順序で異常対応制御を行う。そして、各制御の間に水槽４の水の温度が所定範囲Ａ，Ｂ内となれば、制御部１５は、機器群９に関する異常が解消したと判断し、異常が解消した時の異常対応制御を継続して行う。逆に、各制御の間に水槽４の水の温度が依然として所定範囲Ａ，Ｂ外であれば、制御部１５は、異常対応制御を行う直前の区画４１，４４内の温度と現在の区画４１，４４内の温度とを比較する。比較した結果、機器群９に関する異常が改善されていると判断した場合には、制御部１５は、現在行っていた異常対応制御を継続して行い、機器群９に関する異常が改善されていないと判断した場合には、次に行う異常対応制御を行う。予定している異常対応制御全てを行っても、水槽４の水の温度が依然として所定範囲Ａ，Ｂ外であれば、制御部１５は、水槽４内の水の温度異常の原因は機器群９以外にあると判断し、通常の制御に戻す。
【００８０】
また、制御部１５は、図２に示すように、出力部１６とも接続されている。制御部１５は、機器群９に関する異常があると判断した結果や異常対応制御の内容に基づき、出力部１６によって外部に出力される各種情報（後述）を生成する。
【００８１】
（２−８）出力部
出力部１６は、制御部１５による判断結果、異常対応制御の内容を示す制御内容情報、及び異常対応制御が行われた後の異常の有無及び程度を含む結果情報を外部に出力する。出力部１６が各種情報を出力する出力先としては、空調装置２ａ，２ｂを遠隔操作するためのリモートコンローラや、制御部１５またはリモートコントローラが通信ネットワークを介して接続されているセンター内の外部端末等が挙げられる。
【００８２】
ここで、以下では、出力部１６によってセンター内の外部端末に各種情報が出力された場合を例に取る。図７は、出力部１６によって出力された各種情報がセンター内の外部端末の表示部（図示せず）上に表示された画面例を示す。図７の表示画面Ｐ１上には、判断結果Ｉｎｆ１、制御内容情報Ｉｎｆ２及び結果情報Ｉｎｆ３が含まれている。判断結果Ｉｎｆ１は、機器群９に関する異常ありと判断されたことを示す“有”と表されており、制御内容情報Ｉｎｆ２には、第１制御が１０分間実行され、次いで第２制御が１０分間実行されたことが表されている。結果情報Ｉｎｆ３には、異常対応制御後の機器群９に関する異常が“無”、即ち異常対応制御によって機器群９に関する異常が解消されたことで、水槽４内の水の温度が正常となった旨が表されている。つまり、これらの情報Ｉｎｆ１〜Ｉｎｆ３は、機器群９に関する異常が生じたと制御部１５が判断した後に、異常対応制御として第１制御及び第２制御が１０分ずつ行われ、第２制御によって機器群９に関する異常が解消したことを表している。特に、本実施形態では、異常対応制御として、第１制御、第２制御及び第３制御がこの順で行われるため、外部端末の操作者は、制御内容情報Ｉｎｆ２及び結果情報Ｉｎｆ３の内容から、第２ポンプ７による流量異常（流量過剰）が機器群９に関する異常の内容であったと特定することができる。
【００８３】
尚、図７の画面例ｐ１は、異常が解消されたことを示しているが、水槽４内の水の温度の異常が解消されなかったものの改善されつつあることから、機器群９に関する異常が改善されつつある場合や、水槽４内の水の温度の異常が改善及び解消されなかった場合にも、出力部１６は、判断結果Ｉｎｆ１、制御内容情報Ｉｎｆ２及び結果情報Ｉｎｆ３を外部に出力する。この場合、結果情報Ｉｎｆ３の制御後の異常の有無には“有”と表示され、かつ機器群９に関する異常の程度や水槽４内の水の温度の異常の程度には、“多少改善された”や“悪化した”等のメッセージが表示される。
【００８４】
（３）動作
（３−１）冷房サイクル
次に、水熱源空調システム１が冷房サイクルを行う場合の、１次側回路１ａ及び２次側回路１ｂにおける水の流れや各機器の動作について、簡単に説明する。
【００８５】
先ず、リモートコントローラ（図示せず）等によって空調装置２ａ，２ｂの冷房運転の開始指示がユーザによってなされた場合、制御部１５は、リモートコントローラから冷房運転の開始指示を取得する。すると、制御部１５による四路切換弁６，８，１２の流路切り換え制御により、四路切換弁６，８，１２は、全て図１の点線で示されるように流路を切り換える。具体的には、四路切換弁６は、第１ポンプ５の流出口と水槽４の低温側区画４４とを連通すると共に、チラー３と第１ポンプ５の流入口とを連通する。四路切換弁８は、第２ポンプ７の流出口と水槽４の高温側区画４１とを連通すると共に、熱交換器１０と第２ポンプ７の流入口とを連通する。四路切換弁１２は、第３ポンプ１１の流出口と熱交換器１０とを連通すると共に、室外機２１ａ，２１ｂ（具体的には、室外機２１ａ，２１ｂの室外機用水熱交換器２２ａ，２２ｂ）と第３ポンプ１１の流入口とを連通する。
【００８６】
次いで、制御部１５により各ポンプ５，７，１１及びチラー３等の駆動制御がなされ、水熱源空調システム１においては、図３の矢印に示されるように水が循環する。具体的には、１次側回路１ａにおいては、水槽４の高温側区画４１からの水がチラー３に流入し、チラー３によって冷却された後、水槽４の低温側区画４４内に流入する。また、低温側区画４４内の水は、第２ポンプ７によって配管Ｌ３に流入し、熱交換器１０にて２次側回路１ｂ側の水から熱を吸収し温められた後、高温側区画４１に戻される。この時、水槽４内においては、高温側区画４１から低温側区画４４への水の流れまたは、逆の水の流れが形成されている。尚、水槽４内の水は、制御部１５による機器群９の制御によって、冷房サイクル時には低温側区画４４内の温度が図４に示す所定範囲Ａ内となるように、温度制御される。
【００８７】
２次側回路１ｂにおいては、熱交換器１０にて１次側回路１ａ側の水に熱を放出し冷却された水が室外機２１ａ、２１ｂに流入され、室外機用水熱交換器２２ａ，２２ｂにて冷媒と熱交換される。これにより、室外機２１ａ，２１ｂ側では冷媒は凝縮し、当該冷媒はその後室内機２３ａ，２３ｂ内の熱交換器（図示せず）にて空調対象空間内の空気と熱交換を行うことで蒸発し、当該空気は冷やされる。
【００８８】
一方、室外機用水熱交換器２２ａ，２２ｂにて冷媒と熱交換された後の水は、高温の水となっており、配管Ｌ６を介して熱交換器１０に再度流入される。
【００８９】
（３−２）暖房サイクル
次に、水熱源空調システム１が暖房サイクルを行う場合の、１次側回路１ａ及び２次側回路１ｂにおける水の流れや各機器の動作について、簡単に説明する。
【００９０】
先ず、リモートコントローラ（図示せず）等によって空調装置２ａ，２ｂの暖房運転の開始指示がユーザによってなされた場合、制御部１５は、リモートコントローラから暖房運転の開始指示を取得する。すると、制御部１５による四路切換弁６，８，１２の流路切り換え制御により、四路切換弁６，８，１２は、全て図１の実線で示されるように流路を切り換える。具体的には、四路切換弁６は、第１ポンプ５の流出口とチラー３とを連通すると共に、水槽４の低温側区画４４と第１ポンプ５の流入口とを連通する。四路切換弁８は、第２ポンプ７の流出口と熱交換器１０とを連通すると共に、水槽４の高温側区画４１と第２ポンプ７の流入口とを連通する。四路切換弁１２は、第３ポンプ１１の流出口と室外機２１ａ，２１ｂ（具体的には、室外機２１ａ，２１ｂの室外機用水熱交換器２２ａ，２２ｂ）とを連通すると共に、熱交換器１０と第３ポンプ１１の流入口とを連通する。
【００９１】
次いで、制御部１５により各ポンプ５，７，１１及びチラー３等の駆動制御がなされ、水熱源空調システム１においては、図５の矢印に示されるように水が循環する。具体的には、１次側回路１ａにおいては、水槽４の低温側区画４４からの水がチラー３に流入し、チラー３によって加熱された後、水槽４の高温側区画４１内に流入する。また、高温側区画４１内の水は、第２ポンプ７によって熱交換器１０に流入し、熱交換器１０にて２次側回路１ｂ側の水に熱を放熱し冷却された後、低温側区画４４に戻される。この時、水槽４内においては、低温側区画４４から高温側区画４１への水の流れまたは、逆の水の流れが形成されている。尚、水槽４内の水は、制御部１５による機器群９の制御によって、暖房サイクル時には高温側区画４１内の温度が図６に示す所定範囲Ｂ内となるように、温度制御される。
【００９２】
２次側回路１ｂにおいては、熱交換器１０にて１次側回路１ａ側の水から熱を吸収し加熱された水が室外機２１ａ，２１ｂに流入され、室外機用水熱交換器２２ａ，２２ｂにて冷媒と熱交換される。これにより、室外機２１ａ，２１ｂ側では冷媒は蒸発し、当該冷媒はその後室内機２３ａ，２３ｂ内の熱交換器（図示せず）にて空調対象空間内の空気と熱交換を行うことで凝縮し、当該空気は温められる。
【００９３】
一方、室外機用水熱交換器２２ａ，２２ｂにて冷媒と熱交換された後の水は、低温の水となっており、配管Ｌ４を介して熱交換器１０に再度流入される。
【００９４】
（３−３）水熱源空調システムの全体的な動作
次に、本実施形態に水熱源空調システム１の動作について説明する。
【００９５】
〔全体動作〕
図８〜９は、本実施形態に係る水熱源空調システム１の全体的な動作の流れを示すフローチャートである。
【００９６】
ステップＳ１〜Ｓ２：リモートコントローラ等から冷房運転開始が指示されると（Ｓ１のＹｅｓ）、制御部１５は、水槽４内の低温側区画４４内の温度が設定値となるように温度制御を開始すると共に、冷房サイクルを開始させる（Ｓ２）。また、制御部１５は、機器群９において異常が生じたか否かを判断する際に用いる所定範囲を、“所定範囲Ａ”と決定し、第１ポンプ５から水槽４の低温側区画４４へと水が供給され、低温側区画４４の水の温度が所定範囲Ａ内となるように、機器群９を制御する。
【００９７】
ステップＳ３〜Ｓ４：制御部１５は、低温側区画４４内の温度を温度センサ（図示せず）から例えば５分毎に取得し、当該温度が所定範囲Ａ内か否かを監視する。当該温度が所定範囲Ａ以上、つまり所定範囲Ａの上限値を超えている場合には（Ｓ３のＹｅｓ）、制御部１５は、機器群９に関する異常が生じていると判断し、機器群９に対して異常対応制御１を行う（Ｓ４）。異常対応制御１のフローについては、後述する。
【００９８】
ステップＳ５〜Ｓ６：低温側区画４４内の温度が所定範囲Ａ以上ではなく（Ｓ３のＮｏ）、所定範囲Ａ以下、即ち所定範囲Ａの下限値を下回っている場合には（Ｓ５のＹｅｓ）、制御部１５は、機器群９に関する異常が生じていると判断し、機器群９に対して異常対応制御２を行う（Ｓ６）。異常対応制御２のフローについては、後述する。
【００９９】
尚、当該温度が所定範囲Ａ内であれば（Ｓ５のＮｏ）、制御部１５は、機器群９に関する異常は生じていないと判断し、ステップＳ９以降の動作を行う。
【０１００】
ステップＳ７〜Ｓ９：ステップＳ４，Ｓ６の異常対応制御１，２が行われても水槽４内の水の温度異常が未だ解消されていない場合には（Ｓ７のＮｏ）、制御部１５は、異常対応制御１，２を行う前の制御に戻す（Ｓ８）。逆に、ステップＳ４，Ｓ５の異常対応制御１，２によって水槽４内の水の温度異常が解消された場合には（Ｓ７のＹｅｓ）、水熱源空調システム１は、リモートコントローラ等から冷房運転の停止指示がない限り、冷房サイクルを継続し（Ｓ９のＹｅｓ）、ステップＳ３以降の動作を繰り返す。リモートコンローラ等から冷房運転の停止指示があれば（Ｓ９のＮｏ）、水熱源空調システム１は、冷房サイクルを終了して、一連の動作を終了する。
【０１０１】
ステップＳ１１〜Ｓ１２：リモートコントローラ等から暖房運転開始が指示されると（Ｓ１１のＹｅｓ）、制御部１５は、水槽４内の高温側区画４１内の温度が設定値となるように温度制御を開始すると共に、暖房サイクルを開始させる（Ｓ１２）。また、制御部１５は、機器群９において異常が生じたか否かを判断する際に用いる所定範囲を、“所定範囲Ｂ”と決定し、第１ポンプ５から水槽４の高温側区画４１へと水が供給され、高温側区画４１の水の温度が所定範囲Ｂ内となるように、機器群９を制御する。
【０１０２】
ステップＳ１３〜Ｓ１４：制御部１５は、高温側区画４１内の温度を温度センサ（図示せず）から例えば５分毎に取得し、当該温度が所定範囲Ｂ内か否かを監視する。当該温度が所定範囲Ｂ以下、つまり所定範囲Ｂの下限値を下回っている場合には（Ｓ１３のＹｅｓ）、制御部１５は、機器群９に関する異常が生じていると判断し、機器群９に対して異常対応制御１を行う（Ｓ１４）。異常対応制御１のフローについては、後述する。
【０１０３】
ステップＳ１５〜Ｓ１６：高温側区画４１内の温度が所定範囲Ｂ以下ではなく（Ｓ１３のＮｏ）、所定範囲Ｂ以上、つまり所定範囲Ｂの上限値を越えている場合には（Ｓ１５のＹｅｓ）、制御部１５は、機器群９に関する異常が生じていると判断し、機器群９に対して異常対応制御２を行う（Ｓ１６）。異常対応制御２のフローについては、後述する。
【０１０４】
尚、当該温度が所定範囲Ｂ内であれば（Ｓ１５のＮｏ）、制御部１５は、機器群９に関する異常は生じていないと判断し、ステップＳ１９以降の動作を行う。
【０１０５】
ステップＳ１７〜Ｓ１８：ステップＳ１４，Ｓ１６の異常対応制御１，２が行われても水槽４内の水の温度異常が未だ解消されていない場合には（Ｓ１７のＮｏ）、制御部１５は、異常対応制御１，２を行う前の制御に戻す（Ｓ１８）。逆に、ステップＳ１４，Ｓ１６の異常対応制御１，２によって水槽４内の水の温度異常が解消された場合には（Ｓ１７のＹｅｓ）、水熱源空調システム１は、リモートコントローラ等から暖房運転の停止指示がない限り、暖房サイクルを継続し（Ｓ１９のＹｅｓ）、ステップＳ１３以降の動作を繰り返す。リモートコンローラ等から暖房運転の停止指示があれば（Ｓ１９のＮｏ）、水熱源空調システム１は、暖房サイクルを終了して、一連の動作を終了する。
【０１０６】
〔異常対応制御１〕
図１０は、図８，９のステップＳ４、Ｓ１４における異常対応制御１のサブルーチンを示すフローチャートである。
【０１０７】
ステップＳ２１：制御部１５は、はじめに、第１制御を所定時間の間行う。即ち、制御部１５は、第２ポンプ７が複数台運転している場合には、第２ポンプ７の運転台数を順次減らしていくことで、第２ポンプ７によって循環される水の流量を減少させる制御を行う。
【０１０８】
ステップＳ２２〜Ｓ２４：ステップＳ２１にて行われた第１制御によって水槽４内の水の温度異常が改善もしくは解消された場合には（Ｓ２２のＹｅｓ）、制御部１５は、機器群９に関する異常が改善もしくは解消されたと判断し、第１制御を継続して行う（Ｓ２３）。水槽４内の水の温度異常が改善及び解消されていない場合には（Ｓ２２のＮｏ）、制御部１５は、機器群９に関する異常が改善もしくは解消されていないと判断し、次いで第２制御を所定時間の間行う（Ｓ２４）。即ち、制御部１５は、第１制御によって１台となった運転中の第２ポンプ７の回転数を減少させる制御を行うことで、第２ポンプ７によって循環される水の流量を更に減少させる制御を行う。
【０１０９】
ステップＳ２５〜Ｓ２７：ステップＳ２４にて行われた第２制御によって水槽４内の水の温度異常が改善もしくは解消された場合には（Ｓ２５のＹｅｓ）、制御部１５は、機器群９に関する異常が改善もしくは解消されたと判断し、第２制御を継続して行う（Ｓ２６）。水槽４内の水の温度異常が改善及び解消されていない場合には（Ｓ２５のＮｏ）、制御部１５は、機器群９に関する異常が改善もしくは解消されていないと判断し、次いで第３制御を所定時間の間行う（Ｓ２７）。即ち、制御部１５は、チラー３及び第１ポンプ５が運転していなければ、運転していないチラー３及び第１ポンプ５を運転させることで、水槽４への水の供給不足を解消させる制御を行う。
【０１１０】
ステップＳ２８〜Ｓ３０：ステップＳ２７にて行われた第３制御によって水槽４内の水の温度異常が改善もしくは解消された場合には（Ｓ２８のＹｅｓ）、制御部１５は、機器群９に関する異常が改善もしくは解消されたと判断し、第３制御を継続して行う（Ｓ２９）。第３制御を行ってもなお水槽４内の水の温度異常が改善及び解消されていない場合には（Ｓ２８のＮｏ）、制御部１５は、判断結果“有”、異常が生じてから行ってきた異常対応制御の内容を示す制御内容情報（即ち、第１制御〜第３制御をそれぞれ所定時間の間行った旨の内容）、異常対応制御後の異常“有”の旨及び異常対応制御後の異常の程度“改善されず”もしくは“悪化した”旨を含む結果情報を作成する。出力部１６は、制御部１５によって作成されたこれらの各種情報を、リモートコントローラやセンターの外部端末に出力する（Ｓ３０）。
【０１１１】
ステップＳ３１：第１制御〜第３制御のうちいずれか１つによって異常が改善もしくは解消され、第１制御〜第３制御のいずれか１つが継続して行われている場合には（Ｓ２３，Ｓ２６，Ｓ２９）、制御部１５は、判断結果“有”、異常が生じてから行ってきた異常対応制御の内容を示す制御内容情報（つまり、異常が改善するまでに行った第１制御〜第３制御の内容）、異常対応制御後の異常“無”の旨もしくは異常の程度“改善された”旨を含む結果情報を作成する。出力部１６は、制御部１５によって作成されたこれらの各種情報を、リモートコントローラやセンターの外部端末に出力する。
【０１１２】
尚、上記第１制御〜第３制御は、各制御が行われる際の条件（例えば、第２ポンプ７が複数台運転している等）が満たされた場合に行われるものとし、当該条件が満たされない場合には、次に行う予定の制御が行われるものとする。例えば、始めから第２ポンプ７が１台しか駆動していない場合には、第１制御は行われずに、第２制御、第３制御が異常対応制御として行われる。
【０１１３】
〔異常対応制御２〕
図１１は、図８，９のステップＳ６，Ｓ１６における異常対応制御２のサブルーチンを示すフローチャートである。
【０１１４】
ステップＳ４１：制御部１５は、はじめに、第４制御を所定時間の間行う。即ち、制御部１５は、複数台のチラー３が運転している場合には、チラー３の運転台数を順次減らしていくことで、チラー３及び第１ポンプ５の運転能力の過剰さを解消する制御を行う。
【０１１５】
ステップＳ４２〜Ｓ４４：ステップＳ４１にて行われた第４制御によって水槽４内の水の温度異常が改善もしくは解消された場合には（Ｓ４２のＹｅｓ）、制御部１５は、機器群９に関する異常が改善もしくは解消されたと判断し、第４制御を継続して行う（Ｓ４３）。水槽４内の水の温度異常が改善及び解消されていない場合には（Ｓ４２のＮｏ）、制御部１５は、機器群９に関する異常が改善もしくは解消されていないと判断し、次いで第５制御を所定時間の間行う（Ｓ４４）。即ち、制御部１５は、第２ポンプ７の運転台数が１台である場合、運転している第２ポンプ７の回転数を増加させることで、第２ポンプ７の流量不足を解消する制御を行う。
【０１１６】
ステップＳ４５〜Ｓ４７：ステップＳ４４にて行われた第５制御によって水槽４内の水の温度異常が改善もしくは解消された場合には（Ｓ４５のＹｅｓ）、制御部１５は、機器群９に関する異常が改善もしくは解消されたと判断し、第５制御を継続して行う（Ｓ４６）。水槽４内の水の温度異常が改善及び解消されていない場合には（Ｓ４５のＮｏ）、制御部１５は、機器群９に関する異常が改善もしくは解消されていないと判断し、次いで第６制御を所定時間の間行う（Ｓ４７）。即ち、制御部１５は、第２ポンプ７の運転台数を順次増やすことで、第２ポンプ７の流量不足を解消する制御を行う。
【０１１７】
ステップＳ４８〜Ｓ５０：ステップＳ４７にて行われた第６制御によって水槽４内の水の温度異常が改善もしくは解消された場合には（Ｓ４８のＹｅｓ）、制御部１５は、機器群９に関する異常が改善もしくは解消されたと判断し、第６制御を継続して行う（Ｓ４９）。第６制御を行ってもなお水槽４内の水の温度異常が改善及び解消されていない場合には（Ｓ４８のＮｏ）、制御部１５は、判断結果“有”、異常が生じてから行ってきた異常対応制御の内容を示す制御内容情報（つまり、第４制御〜第６制御をそれぞれ所定時間の間行った旨の内容）、異常対応制御後の異常“有”の旨及び異常対応制御後の異常の程度“改善されず”もしくは“悪化した”旨を含む結果情報を作成する。出力部１６は、制御部１５によって作成されたこれらの各種情報を、リモートコントローラやセンターの外部端末に出力する（Ｓ５０）。
【０１１８】
ステップＳ５１：第４制御〜第６制御のうちいずれか１つによって異常が改善もしくは解消され、第１制御〜第３制御のいずれか１つが継続して行われている場合には（Ｓ４３，Ｓ４６、Ｓ４９）、制御部１５は、判断結果“有”、異常が生じてから行ってきた異常対応制御の内容を示す制御内容情報（つまり、異常が改善するまでに行った第４制御〜第６制御の内容）、異常対応制御後の異常“無”の旨もしくは異常の程度“改善された”旨を含む結果情報を作成する。出力部１６は、制御部１５によって作成されたこれらの各種情報を、リモートコントローラやセンターの外部端末に出力する。
【０１１９】
尚、上記第４制御〜第６制御は、各制御が行われる際の条件（例えば、チラー３が複数台運転している等）が満たされた場合に行われるものとし、当該条件が満たされない場合には、次に行う予定の制御が行われるものとする。例えば、始めから並列接続されたチラー３のうち１台しか駆動していない場合には、第４制御は行われずに、第５制御、第６制御が異常対応制御として行われる。
【０１２０】
（４）効果
（Ａ）
本実施形態に係る水熱源空調システム１によると、水槽４の水の温度が所定範囲Ａ，Ｂ外である場合には、第１ポンプ５や第２ポンプ７等を含む機器群９に関する異常が生じていると判断され、機器群９に対し異常対応制御が行われる。ここで、機器群９に関する異常としては、例えば第２ポンプ７の流量過剰や流量不足等の流量異常、チラー３及び第１ポンプ５の能力不足等が挙げられ、異常対応制御としては、第２ポンプ７の流量を絞る制御や逆に流量を増やす制御が挙げられる。これにより、水槽４内の水の温度の異常を改善もしくは解消することができ、従って水を熱源とする空調装置２ａ，２ｂの効率低下及び消費電力の増大を防ぐことができる。
【０１２１】
（Ｂ）
また、本実施形態に係る水熱源空調システム１では、機器群９に関する異常が生じていると制御部１５によって判断された場合には、機器群９である第１ポンプ５、第２ポンプ７及びチラー３の少なくとも１つに対し、正常時（即ち、水槽４の水の温度が所定範囲Ａ，Ｂ内の場合）の制御とは異なる制御が行われる。従って、第１ポンプ５、第２ポンプ７及びチラー３の中に異常の原因となるものがある場合には、当該異常を改善もしくは解消することができる。
【０１２２】
（Ｃ）
また、本実施形態に係る異常対応制御には、第１制御、第２制御及び第３制御の少なくとも１つが含まれる。第１制御は、第２ポンプ７の運転台数を順次減らす制御である。第２制御は、運転している第２ポンプ７の回転数を減少させる制御である。第３制御は、運転していないチラー３及び第１ポンプ５を運転させる制御である。つまり、第１制御及び第２制御は、第２ポンプ７によって循環される水の流量を減少させる制御であって、第３制御は、チラー３によって加熱または冷却された水を水槽４へ供給させる制御であると言える。この水熱源空調システム１によると、生じている機器群９に関する異常が第２ポンプ７の流量異常（具体的には、流量過剰）である場合には、第１制御及び第２制御によって当該異常が改善され、生じている機器群９に関する異常が水槽４への水の供給不足に基づく異常である場合には、第３制御によって当該異常が改善もしくは解消される。
【０１２３】
（Ｄ）
また、本実施形態に係る水熱源空調システム１では、異常対応制御として、第１制御、第２制御及び第３制御が所定の順序で行われる。つまり、水熱源空調システム１では、実行される異常対応制御の内容が順に変化するため、機器群９に関する異常として良く考えられる第２ポンプ７の流量異常（具体的には、流量過剰）が生じている場合には、第１制御及び第２制御によって当該異常が改善される。また、機器群９に関する異常として良く考えられる水槽４への水の供給不足に基づく異常が生じている場合には、第３制御によって当該異常が改善される。即ち、水熱源空調システム１では、このような第１制御から第３制御が異常対応制御として順に行われるため、機器群９に関する異常の内容が特定されていなくとも、変化する異常対応制御の内容のいずれかによって機器群９に関する異常が改善もしくは解消される。従って、水槽４内の水の温度の異常を改善もしくは解消することができる。
【０１２４】
（Ｅ）
冷房サイクル時に、水槽４における低温側区画４４の水の温度が所定範囲Ａ以上となった場合の機器群９に関する異常の内容としては、第２ポンプ７の流量異常（具体的には、流量過剰）が最も良く挙げられ、次いで、水槽４への水の供給不足に基づく異常が挙げられる。本実施形態に係る水熱源空調システム１では、冷房サイクル時、低温側区画４４の水の温度が所定範囲Ａ以上となった場合、最も可能性の高い第２ポンプ７の流量異常（流量過剰）に対応する第１制御及び第２制御が行われ、次いで次に可能性の高い水槽４への水の供給不足に対応する第３制御が行われる。即ち、この水熱源空調システム１では、機器群９に関する異常の内容として可能性の高い順に、対応する制御が行われるため、比較的早く機器群９に関する異常を改善もしくは解消することができ、従って水槽４内の水の温度の異常を改善もしくは解消することができる。
【０１２５】
（Ｆ）
また、暖房サイクル時に、水槽４における高温側区画４１の水の温度が所定範囲Ｂ以下となった場合の機器群９に関する異常の内容としては、第２ポンプ７の流量異常（具体的には、流量過剰）が最も良く挙げられ、次いで、水槽４への水の供給不足に基づく異常が挙げられる。本実施形態に係る水熱源空調システム１によると、暖房サイクル時、高温側区画４１の水の温度が所定範囲Ｂ以下となった場合、最も可能性の高い第２ポンプ７の流量異常（流量過剰）に対応する第１制御及び第２制御が行われ、次いで次に可能性の高い水槽４への水の供給不足に対応する第３制御が行われる。即ち、この水熱源空調システム１では、機器群９に関する異常の内容として可能性の高い順に、対応する制御が行われるため、比較的早く機器群９に関する異常を改善もしくは解消することができ、従って水槽４内の水の温度の異常を改善もしくは解消することができる。
【０１２６】
（Ｇ）
また、本実施形態に係る異常対応制御には、第４制御、第５制御及び第６制御の少なくとも１つが含まれる。第４制御は、チラー３及び第１ポンプ５の運転台数を順次減らす制御である。第５制御は、運転している第２ポンプ７の回転数を増加させる制御である。第６制御は、第２ポンプ７の運転台数を順次増やす制御である。つまり、第４制御は、チラー３による水の加熱または冷却の能力ならびに第１ポンプ５の運転能力を減らす制御であって、第５制御及び第６制御は、第２ポンプ７によって循環される水の流量を増加させる制御であると言える。この水熱源空調システム１によると、生じている機器群９に関する異常の内容がチラー３及び第１ポンプ５の運転能力の過剰さである場合には、第４制御によって当該異常が改善され、生じている機器群９に関する異常の内容が第２ポンプ７による流量異常（具体的には、流量不足）である場合には、第５制御及び第６制御によって当該異常が改善もしくは解消される。
【０１２７】
（Ｈ）
また、本実施形態に係る水熱源空調システム１は、異常対応制御として、第４制御、第５制御及び第６制御が所定の順序で行われる。つまり、水熱源空調システム１では、実行される異常対応制御の内容が順に変化するため、機器群９に関する異常の内容として良く考えられるチラー３及び第１ポンプ５の運転能力の過剰さが生じている場合には、第４制御によって当該異常が改善される。また、第２ポンプ７の流量異常（具体的には、流量不足）が機器群９に関する異常の内容として生じている場合には、第５制御または第６制御によって当該異常が改善される。つまり、水熱源空調システム１では、このような第４制御から第６制御までが異常対応制御として順に行われるため、機器群９に関する異常の内容が特定されていなくとも、変化する異常対応制御の内容のいずれかによって機器群９に関する異常が改善もしくは解消される。従って、水槽４内の水の温度の異常を改善もしくは解消することができる。
【０１２８】
（Ｉ）
冷房サイクル時に、水槽４における低温側区画４４の水の温度が所定範囲Ａ以下となった場合の機器群９に関する異常の内容としては、チラー３及び第１ポンプ５の運転能力の過剰さが最も良く挙げられ、次いで、第２ポンプ７の流量異常（具体的には、流量不足）が挙げられる。この水熱源空調システム１では、冷房サイクル時、低温側区画４４の水の温度が所定範囲Ａ以下となった場合、最も可能性の高いチラー３及び第１ポンプ５の運転能力の過剰さに対応する第４制御が行われ、次いで次に可能性の高い第２ポンプ７の流量異常（流量不足）に対応する第５制御及び第６制御が行われる。即ち、この水熱源空調システム１では、機器群９に関する異常の内容として可能性の高い順に、対応する制御が行われるため、比較的早く機器群９に関する異常を改善もしくは解消することができ、従って水槽４内の水の温度の異常を改善もしくは解消することができる。
【０１２９】
（Ｊ）
暖房サイクル時に、水槽４における高温側区画４１の水の温度が所定範囲Ｂ以上となった場合の機器群９に関する異常の内容としては、チラー３及び第１ポンプ５の運転能力の過剰さが最も良く挙げられ、次いで第２ポンプ７の流量異常（具体的には、流量不足）が挙げられる。この水熱源空調システム１では、暖房サイクル時、高温側区画４１の水の温度が所定範囲Ｂ以上となった場合、最も可能性の高いチラー３及び第１ポンプ５の運転能力の過剰さに対応する第４制御が行われ、次いで次に可能性の高い第２ポンプ７の流量異常（流量不足）に対応する第５制御及び第６制御が行われる。即ち、この水熱源空調システム１では、機器群９に関する異常の内容として可能性の高い順に、対応する制御が行われるため、比較的早く機器群９に関する異常を改善もしくは解消することができ、従って水槽４内の水の温度の異常を改善もしくは解消することができる。
【０１３０】
（Ｋ）
また、本実施形態では、判断結果、異常対応制御の内容を示す制御内容情報、及び異常対応制御が行われた後の機器群９に関する異常の有無及び程度を含む結果情報の少なくとも１つが、出力部１６によってリモートコントローラや外部端末に出力される。従って、本実施形態に係る水熱源空調システム１のユーザや外部端末の操作者は、水熱源空調システム１における異常の有無や、当該異常の内容、異常対応制御が行われた後の当該システム１の状態等を知ることができる。そのため、未だ機器群９に関する異常が改善もしくは解消されていない場合には、当該システム１のユーザや外部端末の操作者は、それまでに行った制御とは別の制御を策として講じることができる。従って、当該システム１の消費電力が増大する期間をできるだけ抑え、かつ策を講じるまでの時間を短縮することができる。また、結果情報が、機器群９に関する異常が改善もしくは解消されたことを示す情報であれば、ユーザや外部端末の操作者は、当該判断結果及び制御内容情報に基づき、生じていた機器群９に関する異常の内容を特定することができる。
【０１３１】
（Ｌ）
また、本実施形態に係る水熱源空調システム１では、水槽４は、その内部が高温側区画４１、中高温側区画４２、中低温側区画４３及び低温側区画４４からなる４つの区画に区分されており、これらの区画４１〜４４を順に水が流れることで、区画４１〜４４毎に温度差が生じている。そして、冷房サイクル時には、チラー３は水を冷却し、この水は水槽４のうち温度の一番低い低温側区画４４に供給される。暖房サイクル時には、チラー３は水を加熱し、この水は温度の一番高い高温側区画４１に供給される。そのため、冷房サイクル及び暖房サイクルのどちらの運転が行われても、水槽４内は、低い側の区画４４，４３（特に区画４４）では温度が低く、高い側の区画４２，４１（特に区画４１）では温度が高くなる。
【０１３２】
（Ｍ）
また、本実施形態に係る水熱源空調システム１では、冷房サイクル時、低温側区画４４内の温度が機器群９の制御に用いられ、暖房サイクル時、高温側区画４１内の温度が機器群９の制御に用いられる。従って、冷房サイクル時には、低温側区画４４の水の温度によって機器群９に関する異常の判断が行われ、暖房サイクル時には、高温側区画４１の水の温度によって機器群９に関する異常の判断が行われる。
【０１３３】
＜その他の実施形態＞
（ａ）
上記実施形態では、図１に示すように、１次側回路１ａの水槽４内に貯留された水に基づく熱エネルギーが、熱交換器１０を含む２次側回路１ｂを介して各空調装置２ａ，２ｂに供給されると説明した。しかし、水槽４内に貯留された水に基づく熱エネルギーは、熱交換器１０を介さずに、空調装置２ａ，２ｂの室外機２１ａ，２１ｂに直接供給されてもよい。この場合、熱交換器１０を含む２次側回路１ｂの構成は不要となり、水熱源空調システムは、第２ポンプ７によって水槽４から吸い上げられた水を、室外機２１ａ，２１ｂに直接送られるような構成となる。
【０１３４】
（ｂ）
上記実施形態では、図１，３，５に示すように、四路切換弁６，８，１２によって冷房サイクル及び暖房サイクル時の水の流れ方向を切り換える場合について説明した。しかし、水熱源空調システムにおける水の流れ方向を切り換える手法は、四路切換弁を用いない手法が採用されてもよい。四路切換弁を用いずに水の流れ方向を切り換える手法としては、第１ポンプ、第２ポンプ及び第３ポンプそれぞれに逆向きのポンプを並列に接続する手法や、第１ポンプ、第２ポンプ及び第３ポンプとして、水の流れ方向を逆に切り換えることができるポンプを用いる手法等が挙げられる。
【０１３５】
（ｃ）
上記実施形態では、水を加熱または冷却する加熱冷却部として、チラー３が採用されている場合について説明した。しかし、１次側回路１ａの水を加熱または冷却できるものであれば、加熱冷却部はどのようなものであってもよく、チラー３でなくともよい。
【０１３６】
（ｄ）
上記実施形態では、異常対応制御に含まれる第１制御〜第３制御は、第１制御、第２制御及び第３制御の順で行われ、第４制御〜第６制御は、第４制御、第５制御及び第６制御の順で行われると説明した。しかし、第１制御〜第３制御、第４制御〜第６制御が行われる順番は、これに限定されず、それぞれ適宜定められた所定の順序で行われればよい。所定の順序は、入力手段（図示せず）によって入力された水熱源空調システム１に関する様々な情報に基づき、適宜決定されることができる。例えば、水熱源空調システム１を現地に導入する、いわゆる施工業者によって当該システム１の環境情報が入力手段を介して入力された場合には、当該システム１が実際に使用される前に、当該情報に基づいて所定の順序が決定される。また、当該システム１を利用するユーザによって、当該システム１が実際に使用される前に適宜決定されてもよい。更に、当該システム１の使用後であっても、当該システム１を実際に使用して生じている異常の内容の履歴等から、比較的よく生じる異常の原因に対応する異常対応制御が優先的に設定されてもよい。
【０１３７】
（ｅ）
上記実施形態では、出力部１６が、結果情報、制御内容情報及び結果情報全てを、外部に出力する場合について説明した。しかし、出力部１６は、結果情報、制御内容情報及び結果情報全てではなく、これらの情報のうち少なくとも１つを外部に出力してもよい。
【０１３８】
（ｆ）
また、上記実施形態では、図７に示すように、出力部１６によって外部に出力された各種情報が、センター内の外部端末に画面表示される場合について説明した。しかし、出力部１６によって出力される各種情報は、リモートコントローラやセンター内の外部端末の画面に表示される場合に限定されず、用紙に印刷されてもよいし、音声よって出力されたり、音声と画面表示との組み合わせ、またはＬＥＤによってユーザ等に認識可能に出力されたりしてもよい。
【０１３９】
（ｇ）
上記実施形態では、図８〜９に示すように、水槽４内の水の温度異常が改善されなかった場合には（Ｓ７のＮｏ，Ｓ１７のＮｏ）、異常対応制御を行う前の制御に戻すと説明した（Ｓ８，Ｓ１８）。しかし、水熱源空調システム１は、水槽４内の水の温度異常が改善されなかった場合には、異常対応制御を行う前の状態に戻すのではなく、冷房サイクル及び暖房サイクルを停止してもよい。
【０１４０】
（ｈ）
上記実施形態では、図示しない温度センサが、水槽４の低温側区画４４および高温側区画４１内にそれぞれ設けられている場合について説明した。しかし、温度センサの設置箇所は、これに限定されず、配管Ｌ３の内部であってもよい。この場合、温度センサは、配管Ｌ３の端部のうち、低温側区画４４側の端部の内部、及び配管Ｌ３の端部のうち、高温側区画４１側の端部の内部に、それぞれ設けられている。これにより、配管Ｌ３の低温側区画４４側の端部内にある温度センサの検出結果は、冷房サイクル時に制御部１５によって取り込まれ、配管Ｌ３の高温側区画４１側の端部内にある温度センサの検出結果は、暖房サイクル時に制御部１５によって取り込まれる。
【産業上の利用可能性】
【０１４１】
本発明に係る水熱源空調システムは、貯水部内の水の温度の異常を改善もしくは解消することができ、従って水を熱源とする空調装置の効率低下及び消費電力の増大を防ぐことができるという効果を有する。この水熱源空調システムは、水を熱源とする空調装置の効率を向上させるシステムとして適用できる。
【符号の説明】
【０１４２】
１  水熱源空調システム
１ａ  １次側回路
１ｂ  ２次側回路
２ａ，２ｂ  空調装置
２１ａ，２１ｂ  室外機
２２ａ，２２ｂ  室外機用水熱交換器
２３ａ，２３ｂ  室内機
３  チラー
４  水槽
４１  高温側区画
４２  中高温側区画
４３  中低温側区画
４４  低温側区画
５  第１ポンプ
６，８，１２  四路切換弁
７  第２ポンプ
９  機器群
１０  熱交換器
１１  第３ポンプ
１５  制御部
１６  出力部
Ｌ１〜Ｌ６  配管
Ｉｎｆ１  判断結果
Ｉｎｆ２  制御内容情報
Ｉｎｆ３  結果情報
【先行技術文献】
【特許文献】
【０１４３】
【特許文献１】特開２００９−００２５３２号公報
【図１】
2011033222.tif 000003
【図２】
2011033222.tif 000004
【図３】
2011033222.tif 000005
【図４】
2011033222.tif 000006
【図５】
2011033222.tif 000007
【図６】
2011033222.tif 000008
【図７】
2011033222.tif 000009
【図８】
2011033222.tif 000010
【図９】
2011033222.tif 000011
【図１０】
2011033222.tif 000012
【図１１】
2011033222.tif 000013